(57)【要約】【課題】財務報告プロセスの内部統制向上を簡単且つ確実に実現することを目的とする。【解決手段】あるタスクの実行の結果、作成されるデータが、他のタスクの実行に用いられるデータとなる関係を有する複数のタスクの定義情報を記憶装置に記憶する定義情報記憶制御手段と、定義情報記憶制御手段において記憶装置に記憶されたタスクの定義情報に基づいて、業務進捗に関する画面を表示装置に表示させる表示制御手段と、を有し、表示制御手段は、タスクの定義情報に含まれる、タスクの予定日情報に基づいて、画面上にタスクの開始から審査までの予定期間を表示すると共に、タスクの定義情報に含まれる、タスクの実行に用いられるデータとタスクの実行の結果、作成されるデータとに基づいて、タスク間の関係を把握することによって課題を解決する。【選択図】図１
2008269320.tif 000002
【特許請求の範囲】
【請求項１】
あるタスクの実行の結果、作成されるデータが、他のタスクの実行に用いられるデータとなる関係を有する複数のタスクの定義情報を記憶装置に記憶する定義情報記憶制御手段と、
前記定義情報記憶制御手段において前記記憶装置に記憶されたタスクの定義情報に基づいて、業務進捗に関する画面を表示装置に表示させる表示制御手段と、
を有し、
前記表示制御手段は、前記タスクの定義情報に含まれる、タスクの予定日情報に基づいて、前記画面上に前記タスクの開始から審査までの予定期間を表示すると共に、前記タスクの定義情報に含まれる、タスクの実行に用いられるデータとタスクの実行の結果、作成されるデータとに基づいて、タスク間の関係を把握することを特徴とする情報処理装置。
【請求項２】
タスクの実行結果に関する情報を前記記憶装置に記憶すると共に、タスクの実行の結果、作成されるデータを登録する登録手段を更に有することを特徴とする請求項１に記載の情報処理装置。
【請求項３】
タスクの審査結果に関する情報を前記記憶装置に記憶すると共に、審査結果に関する情報を前記タスクの実行の結果、作成されるデータに付加する審査制御手段を更に有することを特徴とする請求項２に記載の情報処理装置。
【請求項４】
前記表示制御手段は、前記タスクの実行結果に関する情報に含まれる、タスクの実績情報に基づいて、前記画面上に前記タスクの開始から審査までの予定期間を表示することを特徴とする請求項２又は３に記載の情報処理装置。
【請求項５】
前記表示制御手段は、タスクに関する修正が行われた場合、前記把握したタスク間の関係に基づき、前記修正に影響されるタスクを明示的に前記画面上に表示することを特徴とする請求項１乃至４の何れか１項に記載の情報処理装置。
【請求項６】
情報処理装置における情報処理方法であって、
あるタスクの実行の結果、作成されるデータが、他のタスクの実行に用いられるデータとなる関係を有する複数のタスクの定義情報を記憶装置に記憶する定義情報記憶制御ステップと、
前記定義情報記憶制御ステップにおいて前記記憶装置に記憶されたタスクの定義情報に基づいて、業務進捗に関する画面を表示装置に表示させる表示制御ステップと、
を有し、
前記表示制御ステップでは、前記タスクの定義情報に含まれる、タスクの予定日情報に基づいて、前記画面上に前記タスクの開始から審査までの予定期間を表示すると共に、前記タスクの定義情報に含まれる、タスクの実行に用いられるデータとタスクの実行の結果、作成されるデータとに基づいて、タスク間の関係を把握することを特徴とする情報処理方法。
【請求項７】
コンピュータを、
あるタスクの実行の結果、作成されるデータが、他のタスクの実行に用いられるデータとなる関係を有する複数のタスクの定義情報を記憶装置に記憶する定義情報記憶制御手段と、
前記定義情報記憶制御手段において前記記憶装置に記憶されたタスクの定義情報に基づいて、業務進捗に関する画面を表示装置に表示させる表示制御手段と、
して機能させるためのプログラムであって、
前記表示制御手段は、前記タスクの定義情報に含まれる、タスクの予定日情報に基づいて、前記画面上に前記タスクの開始から審査までの予定期間を表示すると共に、前記タスクの定義情報に含まれる、タスクの実行に用いられるデータとタスクの実行の結果、作成されるデータとに基づいて、タスク間の関係を把握することを特徴とするプログラム。
【発明の詳細な説明】
【技術分野】
【０００１】
本発明は、情報処理装置、情報処理方法及びプログラムに関する。
【背景技術】
【０００２】
財務報告業務では、連結対象会社ほぼ全てを対象に、その業務プロセスの内部統制評価が求められる。販売管理、購買管理等の業務プロセスの内部統制評価については、重要な組織（連結売上高に占める割合が高い組織）に限定して評価を実施すればよいが、期末決算、連結決算、財務報告業務（以下、これらをまとめて財務報告プロセスともいう）については、グループ会社（連結会社）ほぼ全てを対象に、その業務プロセスの内部統制評価が求められる。
【０００３】
このような中で、財務報告プロセスの内部統制を整備していくためには、次の３点の制約、又は課題があり、これらを解決することが重要である。
【０００４】
１．法で求められる運用状況評価タイミングの制約
財務報告プロセスは、その業務の実施時期が期末時期に限定されている。
したがって、その運用状況の評価も期末業務の最中又は直後に限定される。
２．財務報告プロセスの特性からの課題
購買プロセス、販売プロセス等は、多数の取引について同様の処理を行うものであることから、業務の確からしさを確認するには、幾つかのサンプルを抽出し、ミス率から統計的に全体の業務の確からしさを確認することになる。しかしながら、財務報告プロセスは同じ業務を多数行うのではなく、多数の業務を一回ずつ行うというものであるため、一回のミスが内部統制上、不備、欠陥評価に直結しやすい。このことから、決められた手続通りに必ず業務を実行するという業務環境を整えることが必要となってくる。
３．人材確保上の課題
決算業務の内部統制を確認できる人材は、決算業務に詳しく、また統制の考え方に詳しい専門家でなければならない。更に子会社の評価も行うとなれば、期末の限られた期間に評価を行うことが求められ、評価を行うことができる人材を多数確保しなければならない。しかし、財務部門はコストセンターであることから、通常、多くの会社では、こういった人材を潤沢に擁しているとは考えにくい。
このことから、多数の評価者の確保なくとも、内部統制を確認できる仕組みが切望される。
【０００５】
【特許文献１】特開２００４−１１０１０２号公報
【発明の開示】
【発明が解決しようとする課題】
【０００６】
従来からあるプロジェクトマネジメントツールを使って財務報告業務に関する計画策定を行う方法が考えられるが、その場合、
１．タスクの詳細化と、スケジュールの定義とによる財務報告業務全体の整理
２．タスク毎の成果物と、工期との見積もり
の２つを別々に整理し、整理した後に全体の整合性、負荷バランスを確認、調整しなければならない。しかしながら、通常、一つの財務報告業務に関するタスクの数も多く、更にタスク毎の成果物も多岐に渡る。また、複数の作業者が関わる場合も多く、計画の策定は用意ではない。
【０００７】
本発明はこのような問題点に鑑みなされたもので、財務報告プロセスの内部統制向上を簡単且つ確実に実現することを目的とする。
【課題を解決するための手段】
【０００８】
そこで、本発明は、あるタスクの実行の結果、作成されるデータが、他のタスクの実行に用いられるデータとなる関係を有する複数のタスクの定義情報を記憶装置に記憶する定義情報記憶制御手段と、前記定義情報記憶制御手段において前記記憶装置に記憶されたタスクの定義情報に基づいて、業務進捗に関する画面を表示装置に表示させる表示制御手段と、を有し、前記表示制御手段は、前記タスクの定義情報に含まれる、タスクの予定日情報に基づいて、前記画面上に前記タスクの開始から審査までの予定期間を表示すると共に、前記タスクの定義情報に含まれる、タスクの実行に用いられるデータとタスクの実行の結果、作成されるデータとに基づいて、タスク間の関係を把握することを特徴とする。
【０００９】
かかる構成とすることにより、例えば、タスクの実行に用いられるデータ（例えば資料等）と、タスクの実行の結果、作成されるデータ（例えば、資料等）と、に基づいて、タスク間の関係を把握し、画面上にタスク間の線を描画し、例えば全体のスケジュール表を自動的に作成するので、タスク間の前後関係や日程の前後関係が逆転していないか、直ぐに把握することができる。よって、財務報告プロセスの内部統制向上を簡単且つ確実に実現することができる。
【００１０】
また、本発明は、情報処理方法及びプログラムとしてもよい。
【発明の効果】
【００１１】
本発明によれば、財務報告プロセスの内部統制向上を簡単且つ確実に実現することができる。
【発明を実施するための最良の形態】
【００１２】
以下、本実施形態について図面に基づいて説明する。
【００１３】
図１は、システム構成の一例を示す図である。図１に示されるように、本実施形態に係るシステムは、ＡＰ（アプリケーション）サーバ１と、ＤＢ（データベース）サーバ２と、文書管理サーバ３と、複数のクライアント４と、がネットワーク５を介して接続されている。
【００１４】
ＡＰサーバ１は、クライアント４からの指示に応じて、タスクに関する定義情報（以下、タスク定義情報という）をＤＢサーバ２の後述する図５〜図７に示されるようなテーブルに格納（又は記憶）したり、クライアント４からの指示に応じて、テーブルに格納したテスク定義情報等に基づいて、クライアント４の表示装置（例えばディスプレイ等）に後述する図８に示すような画面を表示したりする。
【００１５】
また、ＡＰサーバ１は、タスクを実行したユーザ（資料を作成したユーザ）のクライアント４からの指示に応じて、タスクの実行の結果作成された資料を文書管理サーバ３に格納（又は記憶）したり、開始日、終了日（実績）等のタスクの実行結果に関する情報をＤＢサーバ２の該当するテーブルのレコードの項目に格納したりする。
【００１６】
また、ＡＰサーバ１は、資料の審査を行うユーザのクライアント４からの指示に応じて、文書管理サーバ３から資料を取得し、前記クライアント４に提供したり、資料の審査を行ったユーザのクライアント４からの指示に応じて、審査者名や審査日付等の審査結果に関する情報を前記資料に付加し、審査者名や審査日付等の情報を付加した資料を文書管理サーバ３に格納したり、審査者名、審査日（実績）等のタスクの審査結果に関する情報をＤＢサーバ２の該当するテーブルのレコードの項目に格納したりする。
【００１７】
図２は、ＡＰサーバ１のハードウェア構成の一例を示す図である。図２に示されるように、ＡＰサーバ１は、ハードウェア構成として、記録媒体ドライブ装置１３と、ＲＯＭ（Ｒｅａｄ  Ｏｎｌｙ  Ｍｅｍｏｒｙ）１５と、ＲＡＭ（Ｒａｎｄｏｍ  Ａｃｃｅｓｓ  Ｍｅｍｏｒｙ）１６と、ＣＰＵ（Ｃｅｎｔｒａｌ  Ｐｒｏｃｅｓｓｉｎｇ  Ｕｎｉｔ）１７と、インターフェース装置１８と、ＨＤ（Ｈａｒｄ  Ｄｉｓｋ）１９と、を含む。
【００１８】
インターフェース装置１８は、ＡＰサーバ１を、ネットワーク５を介して、ＤＢサーバ２や、文書管理サーバ３、クライアント４等に接続するネットワーク接続装置である。後述するＡＰサーバ１のＡＰに係るプログラムは、例えば、ＣＤ−ＲＯＭ等の記録媒体１４によってＡＰサーバ１に提供されるか、ネットワーク等を通じてダウンロードされる。記録媒体１４は、記録媒体ドライブ装置１３にセットされ、プログラムが記録媒体１４から記録媒体ドライブ装置１３を介してＨＤ１９にインストールされる。
【００１９】
ＲＯＭ１５は、ＡＰサーバ１の電源投入時に最初に読み込まれるプログラム等を記録する。ＲＡＭ１６は、ＡＰサーバ１のメインメモリである。ＣＰＵ１７は、必要に応じて、ＨＤ１９よりＡＰに係るプログラムを読み出して、ＲＡＭ１６に格納し、プログラムを実行することで、後述するＡＰサーバ１の機能の全て又は一部を提供したり、後述するフローチャートに係る処理を実行したりする。
【００２０】
なお、ＡＰサーバ１は、ＡＰサーバ１の操作者が操作するキーボード及びマウス等で構成され、ＡＰサーバ１に各種操作情報等を入力するのに用いられる入力装置や、ＡＰサーバ１の操作者が利用するディスプレイ等で構成され、各種情報（又は画面）等を表示するのに用いられる表示装置１２をハードウェア構成として含んでもよい。
【００２１】
ここで、財務報告プロセスは、各種計算、会計処理、各種資料作成等（例えば、各組織や自社の一次損益確定、貸倒引当金計算、賞与引当金計算等）、多岐に渡っており、これら全てが最終的には対外開示資料作成を目的とした業務となっている。
【００２２】
財務報告プロセスに関する個々の業務は、本実施形態では「タスク」とよび、以下に特性を整理する。
・多数ある全てのタスクは対外開示資料（決算短信、決算発表資料、有価証券報告書等）作成のために存在する
・全てのタスクについて成果物である資料が存在する
・全てのタスクは、成果物資料作成にあたって、元資料（諸元）の収集、計算資料等成果物作成、作成した成果物のチェックという手順を踏む
・成果物資料が対外開示資料そのものではないタスクには、その後続タスクがかならず存在し、その後続タスクのための元資料（諸元）となる
【００２３】
図３は、タスクと、諸元（元資料）と、成果物と、の関係の一例を示す図である。図３に示されるように、あるタスク（例えばタスク１）の実行の結果、作成される成果物（例えば成果物Ｘ）は、あるタスク（例えばタスク２）の実行に用いられるデータ（諸元）となる。
【００２４】
図４は、ＡＰサーバ１の機能構成の一例を示す図である。図４に示されるように、ＡＰサーバ１は、機能構成として、タスク定義設定部２１と、表示制御部２２と、タスク実行制御部２３と、審査制御部２４と、を含む。
【００２５】
タスク定義設定部２１は、タスク定義情報の設定者のクライアント４からの指示に応じて、タスク定義情報を、ＤＢサーバ２の図５〜図７に示されるようなテーブルに格納（又は設定）する。
【００２６】
ここで、図５は、タスク一覧テーブル３０の一例を示す図である。図５に示されるように、タスク一覧テーブル３０は、タスク名（又はタスクＩＤ）３１と、開始日（予定）３２と、終了日（予定）３３と、審査日（予定）３４と、開始日（実績）３５と、終了日（実績）３６と、審査日（実績）３７と、作業実施者３８と、審査者３９と、を項目として含む。
【００２７】
タスク名３１には、タスクの名前（又はタスクを識別するタスクＩＤ）が設定される。開始日（予定）３２には、タスクの予定開始日が設定される。終了日（予定）３３には、タスクの終了日の予定終了日が設定される。審査日（予定）３４には、タスクの予定審査日が設定される。開始日（実績）３５には、タスクの実績開始日が設定される。終了日（実績）３６には、タスクの実績終了日が設定される。審査日（実績）３７には、タスクの実績審査日が設定される。作業実施者３８には、タスクを実行したユーザ名（又はユーザＩＤ）が設定される。審査者３９には、タスクの実行結果、作成される資料の審査を実行したユーザ名（又はユーザＩＤ）が設定される。
【００２８】
タスク定義設定部２１は、タスク定義情報の設定者のクライアント４からの指示に応じて、図５に示されるタスク一覧テーブル３０の、該当するタスクのタスク名（又はタスクＩＤ）３１と、開始日（予定）３２と、終了日（予定）３３と、審査日（予定）３４と、作業実施者３８と、審査者３９と、に情報を設定する。
なお、図５に示されるタスク一覧テーブル３０は、ＤＢサーバ２のＨＤに格納されているものとする。
【００２９】
次に、図６は、タスク別諸元テーブル４０の一例を示す図である。図６に示されるように、タスク別諸元テーブル４０は、タスク名４１と、収集すべき情報４２と、収集元組織４３と、収集予定日４４と、収集実績日４５と、を項目として含む。
【００３０】
タスク名４１には、タスクの名前（又はタスクを識別するタスクＩＤ）が設定される。収集すべき情報４２には、タスクの実行（つまり、本タスクの資料を作成する）に際して、必要となる元資料を識別する資料名（又は資料ＩＤ）が設定される。収集元組織４３には、前記資料名（又は資料ＩＤ）の資料の入手先（入手元）の情報が設定される。収集予定日４４には、前記資料名（又は資料ＩＤ）の資料を収集する予定日が設定される。収集実績日４５には、前記資料名（又は資料ＩＤ）の資料を収集した実績日が設定される。
【００３１】
タスク定義設定部２１は、タスク定義情報の設定者のクライアント４からの指示に応じて、図６に示されるタスク別諸元テーブル４０の、該当するタスクのタスク名４１と、収集すべき情報４２と、収集元組織４３と、収集予定日４４と、に情報を設定する。
なお、図５に示されるタスク別諸元テーブル４０は、ＤＢサーバ２のＨＤに格納されているものとする。
【００３２】
次に、図７は、タスク別成果物テーブル５０の一例を示す図である。図７に示されるように、タスク別成果物テーブル５０は、タスク名５１と、作成すべき資料５２と、作成日５３と、審査日５４と、を項目として含む。
【００３３】
タスク名５１には、タスクの名前（又はタスクを識別するタスクＩＤ）が設定される。作成すべき資料５２には、タスクの実行の結果、作成すべき資料名（又は資料ＩＤ）が設定される。作成日５３には、前記資料名（又は資料ＩＤ）の資料を作成した作成日が設定される。審査日５４には、前記資料名（又は資料ＩＤ）の資料を審査した審査日が設定される。
【００３４】
タスク定義設定部２１は、タスク定義情報の設定者のクライアント４からの指示に応じて、図７に示されるタスク別成果物テーブル５０の、該当するタスクのタスク名５１と、作成すべき資料５２と、に情報を設定する。
なお、図７に示されるタスク別成果物テーブル５０は、ＤＢサーバ２のＨＤに格納されているものとする。
【００３５】
再び、図４の説明に戻り、表示制御部２２は、クライアント４からの指示に応じて、テーブルに設定されている情報に基づき、図３に示されるようなタスク間の関係を把握し、例えば後述する図８に示されるような画面等をクライアント４の表示装置（例えばディスプレイ等）に表示する。また、表示制御部２２は、クライアント４からの指示に応じて、テーブルに設定されている情報に基づき、例えば後述する図１１〜図１３に示されるような画面等をクライアント４の表示装置に表示する。また、表示制御部２２は、画面を介して入力等されたユーザの指示をタスク実行制御部２３や、審査制御部２４等に渡す。
【００３６】
タスク実行制御部２３は、タスクの実行を開始するユーザのクライアント４からの指示に応じて、文書管理サーバ３から収集すべき情報（又は資料）を取得し、例えば表示制御部２２を介して前記クライアント４に提供する。また、タスク実行制御部２３は、タスクの実行を開始したユーザ（資料を作成したユーザ）のクライアント４からの指示に応じて、タスク一覧テーブル３０の該当するタスクの開始日（実績）３５に日付情報を設定したり、タスク別諸元テーブル４０の該当するタスクの収集すべき資料の収集実績日４５に日付情報を設定したりする。
【００３７】
また、タスク実行制御部２３は、タスクを実行したユーザ（資料を作成したユーザ）のクライアント４からの指示に応じて、タスク一覧テーブル３０の該当するタスクの終了日（実績）３６に日付情報を設定したり、タスク別成果物テーブル５０の該当するタスクの作成すべき資料の作成日５３に日付情報を設定したりする。また、タスク実行制御部２３は、タスクを実行したユーザ（資料を作成したユーザ）のクライアント４からの指示に応じて、タスクの実行の結果作成された資料を文書管理サーバ３に格納（又は記憶）する。
【００３８】
審査制御部２４は、資料の審査を行うユーザのクライアント４からの指示に応じて、文書管理サーバ３から審査に関する資料を取得し、例えば表示制御部２２を介して前記クライアント４に提供する。また、審査制御部２４は、資料の審査を行ったユーザのクライアント４からの指示に応じて、審査者名や審査日付等の審査結果に関する情報を前記資料に付加し、審査者名や審査日付等の情報を付加した資料を文書管理サーバ３に格納する。
【００３９】
また、審査制御部２４は、資料の審査を行ったユーザのクライアント４からの指示に応じて、タスク一覧テーブル３０の該当するタスクの審査日（実績）３７に日付情報を設定したり、タスク別成果物テーブル５０の該当するタスクの作成すべき資料の審査日５４に日付情報を設定したりする。
【００４０】
図８は、業務進捗確認画面の一例を示す図である。表示制御部２２は、クライアント４からの指示に応じて、例えば、タスク一覧テーブル３０の予定日情報（つまり、開始日（予定）３２と、審査日（予定）３４と、）に基づいて、横線を描画する。なお、横線はタスクに係る日数を表している。次に、表示制御部２２は、タスク別諸元テーブル４０の収集すべき情報４２と、タスク別成果物テーブル５０の作成すべき資料５２と、の一致判定（一致チェック）を行い、タスク間の関係を把握し（つまり、どのタスクの成果物がどのタスクの諸元となっているかを把握し）、矢印線の描画を行う。
【００４１】
ここで、上述したように、表示制御部２２が予定日情報に基づき、横線を描画した場合は、計画線となる。
【００４２】
また、表示制御部２２は、クライアント４からの指示に応じて、例えば、タスク一覧テーブル３０の実績日情報（つまり、開始日（実績）３５と、審査日（実績）３７と）に基づいて、横線を描画する。次に、同様に、表示制御部２２は、タスク別諸元テーブル４０の収集すべき情報４２と、タスク別成果物テーブル５０の作成すべき資料５２と、の一致判定（一致チェック）を行い、タスク間の関係を把握し（つまり、どのタスクの成果物がどのタスクの諸元となっているかを把握し）、矢印線の描画を行う。
【００４３】
ここで、上述したように、表示制御部２２が実績日情報に基づき、横線を描画した場合は、実績線となる。
【００４４】
表示制御部２２は、クライアント４からの指示に応じて、計画線や、実績線を切り替えて表示してもよいし、クライアント４からの指示に応じて、計画線及び実績線を表示してもよい。例えば、表示制御部２２が計画線及び実績線両方を表示した場合、ユーザは、計画と実績との差異を確認することができ、この差異を分析することによって、次回の業務時のスケジュールの見直しに役立てることができる。
【００４５】
また、表示制御部２２は、クライアント４からの指示に応じて、実績日情報に基づき、開始したばかりのタスクと、タスクの実行は終了したが審査がまだのタスクと、審査も終了したタスクと、を色分けして表示する。より具体的に説明すると、表示制御部２２は、クライアント４からの指示に応じて、タスク一覧テーブル３０の、開始日（実績）３５と、終了日（実績）３６と、審査日（実績）３７と、を用いて、開始したばかりのタスクか、タスクの実行は終了したが審査がまだのタスクか、審査も終了したタスクか、を判断して、判断結果に応じて、色分けしてタスクを表示する。
【００４６】
表示制御部２２がこのような表示を行うことによって、ユーザは、どこまでタスクが進んでいるのか一目で確認することができる。
【００４７】
また、表示制御部２２は、クライアント４からの指示に応じて、所定の作業実施者に関するタスクを画面に表示する。より具体的に説明すると、表示制御部２２は、クライアント４からの指示に応じて、例えばこの指示に含まれるユーザＩＤに基づき、タスク一覧テーブル３０の作業実施者３８を検索し、該当するタスクを画面に表示する。
【００４８】
同様に、表示制御部２２は、クライアント４からの指示に応じて、例えばこの指示に含まれるユーザＩＤに基づき、タスク一覧テーブル３０の審査者３９を検索し、該当するタスクを画面に表示する。
【００４９】
表示制御部２２がこのような表示を行うことによって、タスクの実行者（作業実施者）、又は審査者は、自身が実行すべきタスク、又は自身が審査すべきタスクを認識し、タスクの実行、又は審査を実行することができる。
【００５０】
また、表示制御部２２は、後続処理が進んでいるのにも関わらず、前工程のタスクに関して修正が行われた場合、この修正が行われたタスクを基点に、タスク別諸元テーブル４０の収集すべき情報４２及び／又は作成すべき資料５２に基づき、修正に伴い、影響を与えるタスクを選出し、例えば、所定の色等で注意表示する。
【００５１】
表示制御部２２がこのような表示を行うことによって、ユーザは、再確認が必要なタスクを一目で確認することができる。
【００５２】
また、表示制御部２２は、横線と、矢印線と、が交差している場合、例えば、所定の色等で注意表示する。表示制御部２２がこのような表示を行うことによって、ユーザは、タスクの前後関係が誤っていないか一目で確認することができる。
【００５３】
図９は、タスク定義情報の設定処理の一例を示すフローチャートである。ステップＳ１０において、タスク定義設定部２１は、タスク定義情報の設定者のクライアント４からの指示に応じて、図５に示されるタスク一覧テーブル３０の、該当するタスクのタスク名（又はタスクＩＤ）３１と、開始日（予定）３２と、終了日（予定）３３と、審査日（予定）３４と、作業実施者３８と、審査者３９と、に情報を設定する。
【００５４】
続いて、ステップＳ１１において、タスク定義設定部２１は、タスク定義情報の設定者のクライアント４からの指示に応じて、図６に示されるタスク別諸元テーブル４０の、該当するタスクのタスク名４１と、収集すべき情報４２と、収集元組織４３と、収集予定日４４と、に情報を設定する。
【００５５】
続いて、ステップＳ１２において、タスク定義設定部２１は、タスク定義情報の設定者のクライアント４からの指示に応じて、図７に示されるタスク別成果物テーブル５０の、該当するタスクのタスク名５１と、作成すべき資料５２と、に情報を設定する。
【００５６】
図１０は、業務進捗確認画面に関する描画処理の一例を示すフローチャートである。なお、表示制御部２２は、クライアント４からの指示（描画指示）に基づき、以下の処理を実行する。
【００５７】
ステップＳ２０において、表示制御部２２は、クライアント４からの指示（描画指示）が、計画線の描画であった場合は、タスク一覧テーブル３０の開始日（予定）３２と、審査日（予定）３４と、に基づいて、横線を描画する。また、表示制御部２２は、クライアント４からの指示（描画指示）が、実績線の描画であった場合は、タスク一覧テーブル３０の開始日（実績）３５と、審査日（実績）３７とに基づいて、横線を描画する。
【００５８】
続いて、ステップＳ２１において、表示制御部２２は、タスク別諸元テーブル４０の収集すべき情報４２と、タスク別成果物テーブル５０の作成すべき資料５２と、の一致判定（一致チェック）を行い、タスク間の関係を把握し（つまり、どのタスクの成果物がどのタスクの諸元となっているかを把握し）、矢印線の描画を行う。
【００５９】
なお、図８に示されるような業務進捗確認画面において、タスクが選択されたことを検知すると、表示制御部２２は、選択されたタスクに関して、図１１に示すようなタスク別進捗状況確認画面を、タスクを選択したクライアント４の表示装置に表示する。図１１は、タスク別進捗状況確認画面の一例を示す図である。
【００６０】
なお、より具体的に説明すると、表示制御部２２は、選択されたタスクのタスク名（又はタスクＩＤ）に基づき、タスク一覧テーブル３０より作業実施者３８、審査者３９に設定されている情報を取得する。また、表示制御部２２は、選択されたタスクのタスク名（又はタスクＩＤ）に基づき、タスク一覧テーブル３０の開始日（実績）３５、終了日（実績）３６、審査日（実績）３７に情報が設定されていればその情報も取得する。
【００６１】
また、表示制御部２２は、選択されたタスクのタスク名（又はタスクＩＤ）に基づき、タスク別諸元テーブル４０より収集すべき情報４２に設定されている情報を取得する。また、表示制御部２２は、選択されたタスクのタスク名（又はタスクＩＤ）に基づき、タスク別諸元テーブル４０の収集実績日４５に情報が設定されていればその情報も取得する。
【００６２】
また、表示制御部２２は、選択されたタスクのタスク名（又はタスクＩＤ）に基づき、タスク別成果物テーブル５０より作成すべき資料５２に設定されている情報を取得する。また、表示制御部２２は、選択されたタスクのタスク名（又はタスクＩＤ）に基づき、タスク別成果物テーブル５０の作成日５３、審査日５４に情報が設定されていればその情報も取得する。
【００６３】
表示制御部２２は、選択されたタスクのタスク名（及び／又はタスクＩＤ）と、これら取得した情報と、を用いて、図１１に示されるようなタスク別進捗状況確認画面を、タスクを選択したクライアント４の表示装置に表示する。
【００６４】
表示制御部２２は、タスクを実行（実施）するユーザのクライアント４からタスク別進捗状況確認画面上において作成すべき資料（例えば「Ａ会社連結データ（ＢＳ）」１０１）をクリックされたことを検知すると、図１２に示されるような確認画面を前記クライアント４の表示装置に表示する。ここで、図１２は、確認画面の一例を示す図である。
【００６５】
表示制御部２２は、図１２に示される確認画面において、登録ボタン１０２が押下されたことを検知すると、図１３に示されるような資料登録画面を前記クライアント４の表示装置に表示する。ここで、図１３は、資料登録画面の一例を示す図である。
【００６６】
表示制御部２２は、図１３に示されるような資料登録画面において資料（例えば「Ａ会社連結データ（ＢＳ）」）１０４が選択され、保存ボタン１０５が押下されたことを検知すると、選択された資料を該当するクライアント４から受け取り、タスク実行制御部２３に渡す。タスク実行制御部２３は、表示制御部２２より受け取った資料を、文書管理サーバ３に登録する。
【００６７】
なお、審査を行うユーザは、後述するように、図１２に示されるような確認画面において審査ボタン１０３を押下して、審査を開始することもできる。また、例えば、タスクを実行するユーザは、図１１に示されるタスク別進捗状況確認画面において、収集情報追加ボタン１０６を押下して、収集すべき情報を追加したり、作成資料追加ボタン１０７を押下して、作成すべき資料を追加したりすることができる。
【００６８】
なお、より具体的に説明すると、表示制御部２２は、収集情報追加ボタン１０６が押下され、収集すべき情報が追加されると、タスク別諸元テーブル４０にレコードを追加する。また、表示制御部２２は、作成資料追加ボタン１０７が押下され、作成すべき資料が追加されると、タスク別成果物テーブル５０にレコードを追加する。
【００６９】
このような機能を有することによって、実際の財務報告プロセスの途中でタスクを変更することができる。また、追加した情報はテーブルにおいて保持されているため、次回の業務設計に反映させることにより業務設計精度を向上させることもできる。
【００７０】
次に、図１４を用いて、タスクの開始に関する処理の一例を説明する前に、タスクのより具体的な例を示す。
タスクには主に以下に示す２つが存在する
（１）仕訳入力等、数値、勘定確定作業
（２）数値の加工、資料の作成のための転記作業
まず、（１）仕訳入力等、数値、勘定確定作業の作業内容は、以下の通りである。
・タスクの実行者は、評価計算、勘定処理のルールに基づき、業務を行うため、諸元（例えば、他部門で作成した資料等）を収集する
・タスクの実行者は、収集した諸元を使用して、ルールに基づき、評価計算を実施する
・タスクの実行者は、計算結果をチェックし、仕訳伝票を作成する
また、（２）数値の加工、資料の作成のための転記作業の作業内容は、以下の通りである。
・タスクの実行者は、諸元（例えば、伝票の入力結果データ等）を収集する
・タスクの実行者は、諸元のデータの加工、転記により資料を作成する
図１４は、タスクの開始に関する処理の一例を示すフローチャートである。
諸元の収集には２通りの方法がある。一つは当該タスクの前段のタスクにて作成、審査が終了し、文書管理サーバに登録済のものを呼び出して収集する場合、もう一つは他部署で作成された資料を電子メールや媒体等で入手、収集する場合がある。
まず、文書管理サーバに登録済のものを呼び出して収集する場合であるが、図１４中、ステップＳ３０において、表示制御部２２は、タスクを実行（実施）するユーザのクライアント４からタスク別進捗状況確認画面上において収集すべき情報にリストアップされている情報の何れかがクリックされたことを検知すると、タスク実行制御部２３に、ユーザによって選択された収集すべき情報を識別する諸元名（或いは諸元ＩＤ）等を渡す。タスク実行制御部２３は、この諸元名に基づき、文書管理サーバ３より登録されている資料（つまり、収集すべき情報（諸元））を取得する。
【００７１】
続いて、ステップＳ３１において、タスク実行制御部２３は、取得した資料を表示制御部２２に渡す。表示制御部２２は、資料を渡されると、例えばこの資料を前記クライアント４の表示装置に表示させる。
【００７２】
続いて、ステップＳ３２において、タスク実行制御部２３は、タスク別諸元テーブル４０の該当するタスク（図１１の例ではタスクＩＤ「ｃ００１２」のタスク）の収集すべき情報４２が、前記諸元名と一致するレコードの収集実績日４５に前段タスクの終了日付情報を設定する。
【００７３】
次に他部署で作成された資料を電子メールや媒体等で入手、収集する場合は、図１４中、ステップＳ３５において、表示制御部２２は、タスクを実行（実施）するユーザのクライアント４が他部署等から取得した資料を受信する。
【００７４】
続いて、ステップＳ３６において、表示制御部２２は、タスク別進捗状況確認画面上に収集すべき情報にリストアップされている情報の何れかがクリックされたことを感知し、タスク実行制御部２３に、ユーザによって選択された収集すべき情報を識別する諸元名（或いは諸元ＩＤ）等を渡す。タスク実行制御部２３は、この諸元名に基づき、文書管理サーバ３に他部署等から取得した資料を登録する。
【００７５】
続いて、ステップＳ３７において、タスク実行制御部２３は、タスク別諸元テーブル４０の該当するタスク（図１１の例ではタスクＩＤ「ｃ００１２」のタスク）の収集すべき情報４２が、前記諸元名と一致するレコードの収集実績日４５にステップＳ３６の登録時の日付情報を設定する。
以上が、文書管理サーバに登録済のものを呼び出して収集する場合と、他部署で作成された資料を電子メールや媒体等で入手、収集する場合のフローチャートである。
【００７６】
続いて、ステップＳ３３において、タスク実行制御部２３は、タスク一覧テーブル３０の該当するタスク（図１１の例ではタスクＩＤ「ｃ００１２」のタスク）の開始日（実績）３５に日付情報が設定されているか否かを判定する。タスク実行制御部２３は、タスク一覧テーブル３０の該当するタスク（図１１の例ではタスクＩＤ「ｃ００１２」のタスク）の開始日（実績）３５に日付情報が設定されていると判定すると、図１４に示す処理を終了する。一方、タスク実行制御部２３は、タスク一覧テーブル３０の該当するタスク（図１１の例ではタスクＩＤ「ｃ００１２」のタスク）の開始日（実績）３５に日付情報が設定されていないと判定すると、ステップＳ３４に進む。
【００７７】
ステップＳ３４において、タスク実行制御部２３は、タスク一覧テーブル３０の該当するタスク（図１１の例ではタスクＩＤ「ｃ００１２」のタスク）の開始日（実績）３５に日付情報を設定する。
【００７８】
次に、図１５を用いて、タスクの終了に関する処理の一例を説明する。図１５は、タスクの終了に関する処理の一例を示すフローチャートである。
図１４のステップＳ３１において、資料（諸元）を収集し、上述したようなタスクを実行したユーザが、図１３に示されるような資料登録画面において作成した資料（例えば「Ａ会社連結データ（ＢＳ）」）１０４を選択し、保存ボタン１０５を押下したことを表示制御部２２が検知すると、以下に示す処理が開始される。
ステップＳ４０において、表示制御部２２は、選択された資料を該当するクライアント４から受け取り、タスク実行制御部２３に渡す。タスク実行制御部２３は、表示制御部２２より受け取った資料を、文書管理サーバ３に登録する。
【００７９】
続いて、ステップＳ４１において、タスク実行制御部２３は、タスク別成果物テーブル５０の該当するタスクの作成すべき資料の作成日５３に日付情報を設定する。続いて、ステップＳ４２において、タスク実行制御部２３は、タスク一覧テーブル３０の該当するタスク（図１１の例ではタスクＩＤ「ｃ００１２」のタスク）の終了日（実績）３６に日付情報を設定する。なお、ステップＳ４２において、タスク実行制御部２３は、既にタスク一覧テーブル３０の該当するタスクの終了日（実績）３６に日付情報が設定されていた場合は、新たな日付情報を上書きして設定する。
【００８０】
次に、図１６を用いて、審査に関する資料をクライアント４に提供する処理の一例を説明する前に、審査のより具体的な例を示す。
上述したように、タスクには主に、
（１）仕訳入力等、数値、勘定確定作業
（２）数値の加工、資料の作成のための転記作業
が存在する。（１）仕訳入力等、数値、勘定確定作業の作業で作成された計算書類が成果物である。また、（２）数値の加工、資料の作成のための転記作業の作業で作成された成果物が、例えばデータの加工、転記によって作成された資料である。
審査では、このような成果物が正しいか否か（誤りがないか否か）等を審査する。
【００８１】
図１６は、審査に関する資料を提供する処理の一例を示すフローチャートである。
ステップＳ５０において、表示制御部２２は、資料の審査を行うユーザのクライアント４からタスク別進捗状況確認画面上において作成すべき資料（例えば「Ａ会社連結データ（ＰＬ）」）をクリックされたことを検知すると、図１２に示されるような確認画面を前記クライアント４の表示装置に表示する。表示制御部２２は、図１２に示される確認画面において、審査ボタン１０３が押下されたことを検知すると、審査制御部２４に選択された収集すべき情報を識別するタスク名（又はタスクＩＤ）等を渡す。タスク実行制御部２３は、このタスク名に基づき、文書管理サーバ３より登録されている資料（つまり、収集すべき情報）を取得する。
【００８２】
続いて、ステップＳ５１において、タスク実行制御部２３は、取得した資料を表示制御部２２に渡す。表示制御部２２は、資料を渡されると、例えばこの資料を前記クライアント４の表示装置に表示させる。
【００８３】
次に、図１７を用いて、審査結果に関する情報等を設定する処理の一例を説明する。図１７は、審査結果に関する情報等を設定する処理の一例を示すフローチャートである。
【００８４】
ステップＳ６０において、表示制御部２２は、例えばステップＳ５１で資料を表示装置に表示させたクライアント４から、審査が終了し、審査がＯＫ（つまり、適切な資料）であった旨の情報を受け取ると、前記資料と、前記情報と、を審査制御部２４に渡す。審査制御部２４は、前記資料と、前記情報と、を受け取ると、前記資料に審査者名と、審査日付と、を記録（又は付加）する。
【００８５】
続いて、ステップＳ６１において、審査制御部２４は、審査者名と、審査日付と、を記録した資料を変更ができないよう全てのページにパスワードを設定し、ロックをかけるか、前記資料をＰＤＦ化して、変更不可能にする。
【００８６】
続いて、ステップＳ６２において、審査制御部２４は、変更不可能にした資料を文書管理サーバ３にアップロード（又は登録）する。続いて、ステップＳ６３において、審査制御部２４は、タスク別成果物テーブル５０の該当するタスクの作成すべき資料の審査日５４に日付情報を設定する。
【００８７】
続いて、ステップＳ６４において、審査制御部２４は、タスク一覧テーブル３０の該当するタスクの審査日（実績）に日付情報を設定する。
【００８８】
このようにして、全てのタスクが完了（タスクが実行され、審査も終了）した場合に、例えば、ユーザが図８に示されるような業務進捗確認画面を表示させると、全てのタスクが審査も終了したタスクであることを示す色になって表示される。これは、全ての財務報告プロセスが設計された通りの手順で実行されたことを示している。よって、進捗によって色分けしていることや、何色になればタスクが完了したことを意味するのかを監査人等に説明すると共にこのような仕様になっていることを証明するテスト結果を監査人等に提示することによって、完了の色に染まった図８に示されるような業務進捗確認画面（又はこの画面を印刷したもの）が、財務報告プロセスに関する証明資料となる。
【００８９】
以上、上述したように本実施形態におけるＡＰサーバ１は、業務の体系化、可視化を支援し、業務を必ず決められたとおりに行うことを制御すると共に、実行結果を保存（記録）するので、運用評価実施時期制約の解消と、確保すべき運用評価者数の削減とが可能となることに加えて、財務報告プロセスの特性を起因とした不備、欠陥発生を抑制し、企業の財務報告プロセスの内部統制向上を簡単且つ確実に実現することができる。
【００９０】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００９１】
【図１】システム構成の一例を示す図である。
【図２】ＡＰサーバ１のハードウェア構成の一例を示す図である。
【図３】タスクと、諸元（元資料）と、成果物と、の関係の一例を示す図である。
【図４】ＡＰサーバ１の機能構成の一例を示す図である。
【図５】タスク一覧テーブル３０の一例を示す図である。
【図６】タスク別諸元テーブル４０の一例を示す図である。
【図７】タスク別成果物テーブル５０の一例を示す図である。
【図８】業務進捗確認画面の一例を示す図である。
【図９】タスク定義情報の設定処理の一例を示すフローチャートである。
【図１０】業務進捗確認画面に関する描画処理の一例を示すフローチャートである。
【図１１】タスク別進捗状況確認画面の一例を示す図である。
【図１２】確認画面の一例を示す図である。
【図１３】資料登録画面の一例を示す図である。
【図１４】タスクの開始に関する処理の一例を示すフローチャートである。
【図１５】タスクの終了に関する処理の一例を示すフローチャートである。
【図１６】審査に関する資料を提供する処理の一例を示すフローチャートである。
【図１７】審査結果に関する情報等を設定する処理の一例を示すフローチャートである。
【符号の説明】
【００９２】
１    ＡＰサーバ
２    ＤＢサーバ
３    文書管理サーバ
４    クライアント
５    ネットワーク
１３  記録媒体ドライブ装置
１４  記録媒体
１５  ＲＯＭ
１６  ＲＡＭ
１７  ＣＰＵ
１８  インターフェース装置
１９  ＨＤ
２１  タスク定義設定部
２２  表示制御部
２３  タスク実行制御部
２４  審査制御部
【図１】
2008269320.tif 000003
【図２】
2008269320.tif 000004
【図３】
2008269320.tif 000005
【図４】
2008269320.tif 000006
【図５】
2008269320.tif 000007
【図６】
2008269320.tif 000008
【図７】
2008269320.tif 000009
【図８】
2008269320.tif 000010
【図９】
2008269320.tif 000011
【図１０】
2008269320.tif 000012
【図１１】
2008269320.tif 000013
【図１２】
2008269320.tif 000014
【図１３】
2008269320.tif 000015
【図１４】
2008269320.tif 000016
【図１５】
2008269320.tif 000017
【図１６】
2008269320.tif 000018
【図１７】
2008269320.tif 000019